(57)【要約】【課題】容易に入手可能なデータを用いて、簡易かつ迅速にプロジェクトが地域環境に与える影響を推定することが可能となる環境評価装置を提供する。【解決手段】植生図データ記憶手段１１と、プロジェクト案入力要求手段２２と、基準図データ９２において、所定の環境評価指標に対する環境評価値を算出する単位となる複数の分割領域９３ａを生成するための分割領域設定手段３４と、前記分割領域において、植生種別及び造成物種別ごとに予め定められている種別評価値算出式と、前記種別評価値算出式により算出された種別環境評価値を統合するための統合式とを用いて、前記環境評価値を算出するための環境評価値算出手段４３と、を備える環境評価装置Ｋとした。【選択図】　図１
2004102606.tif 000002
【特許請求の範囲】
【請求項１】
植生種別と前記植生種別に対応する領域の位置座標とが関連づけられている植生図データが記憶されている植生図データ記憶手段と、
造成物種別と前記造成物の位置座標とが関連づけられているプロジェクト案データの入力を要求するためのプロジェクト案入力要求手段と、
前記植生図データ記憶手段に記憶されている前記植生図データから環境評価を行う評価領域を抽出するための評価領域抽出手段と、
前記評価領域における植生図データと、入力された前記プロジェクト案データとを統合することにより基準図データを作成するための基準図データ作成手段と、
前記基準図データにおいて、所定の環境評価指標に対する環境評価値を算出する単位となる複数の分割領域を生成するための分割領域設定手段と、
前記各分割領域において、前記植生種別及び前記造成物種別ごとに予め定められている種別評価値算出式と、前記種別評価値算出式により算出された種別環境評価値を統合するための統合式とを用いて、前記環境評価値を算出するための環境評価値算出手段と、
を備えることを特徴とする環境評価装置。
【請求項２】
前記環境評価値は、複数の前記環境指標に対して算出するものであり、
前記環境評価値算出手段は、前記複数の環境評価値を総合化した総合環境評価値を作成可能に構成されていることを特徴とする請求項１に記載の環境評価装置。
【請求項３】
前記各環境評価値又は前記総合環境評価値を、前記各分割領域を表示した地図とともに、その位置関係を対応付けて表示させるための出力表示手段を備えることを特徴とする請求項２に記載の環境評価装置。
【発明の詳細な説明】
【０００１】
【発明の属する技術分野】
本発明は、土地開発等を伴うプロジェクト（以下、「プロジェクト」という）の実施に際し、周辺地域の環境に及ぼす影響を評価するための環境評価装置に関する。
【０００２】
【従来の技術】
大規模なプロジェクトは森林伐採等を伴う場合が多く、地域環境に大きな変化を与えるため、各種の環境評価指標を考慮して優先的に保全する区域と優先的に開発する区域を判断する必要がある。その際には、地形、人口分布、交通網、防災区域等の各種環境評価指標に基づいた環境アセスメントを実施することによりその評価を行うことが一般的であった。
【０００３】
しかし、従来の環境アセスメントは評価項目が多く、多くの人力や作業を伴うものであり、プロジェクトの概略計画を策定する際に、各代替案の地域環境に与える大まかな影響を簡易かつ迅速に求めることが望まれていた。
このような要請から、例えば、調査地域の環境リスクを評価するために計算機を使用した環境評価装置が提案されている（例えば、特許文献１参照）。
【０００４】
【特許文献１】
特開平１１−３０３５７１号公報（第２頁−第４頁、第１図）
【０００５】
【発明が解決しようとする課題】
しかし、前記装置によれば、各種の指標から調査地域の環境リスクを評価することはできるが、プロジェクトが当該調査地域に与える影響を分析することができないという問題点を有していた。
【０００６】
本発明は前記の問題点を解決するためになされたものであり、簡易かつ迅速にプロジェクトが地域環境に与える影響を推定することが可能となる環境評価装置を提供することを目的としている。
【０００７】
【課題を解決するための手段】
前記課題を解決するために、本発明の環境評価装置は、植生種別と前記植生種別に対応する領域の位置座標とが関連づけられている植生図データが記憶されている植生図データ記憶手段と、造成物種別と前記造成物の位置座標とが関連づけられているプロジェクト案データの入力を要求するためのプロジェクト案入力要求手段と、前記植生図データ記憶手段に記憶されている前記植生図データから環境評価を行う評価領域を抽出するための評価領域抽出手段と、前記評価領域における植生図データと、入力された前記プロジェクト案データとを統合することにより基準図データを作成するための基準図データ作成手段と、前記基準図データにおいて、所定の環境評価指標に対する環境評価値を算出する単位となる複数の分割領域を生成するための分割領域設定手段と、前記各分割領域において、前記植生種別及び前記造成物種別ごとに予め定められている種別評価値算出式と、前記種別評価値算出式により算出された種別環境評価値を統合するための統合式とを用いて、前記環境評価値を算出するための環境評価値算出手段と、を備えることを特徴としている。
【０００８】
ここで、造成物とは、プロジェクトで実施される土地造成や構造物等をいい、人造林、公園、各種施設（建物、住宅等を含む）、人造池、用水等をいう。
また、前記統合式は、分割領域に属する植生種別及び造成物種別のエリアの面積を重みとして、算出された各環境評価値を加重平均することにより算出する式を用いることが好適である。
【０００９】
本発明によれば、植生図データと、プロジェクト案データを用いるだけで、環境評価指標を迅速に算出することができるため、プロジェクト案の適否を容易に判断することが可能となる。
【００１０】
また、前記環境評価装置において、前記環境評価値は、複数の前記環境指標に対して算出するものであり、前記環境評価値算出手段は、前記複数の環境評価値を総合化した総合環境評価値を作成可能に構成されているものであってもよい。
【００１１】
本発明によれば、前記環境評価値算出手段は、前記複数の環境評価値を総合化した総合環境評価値を作成可能となっていることから、プロジェクト案の適否をさらに容易に判断することが可能となる。
【００１２】
さらに、前記環境評価装置において、前記各環境評価値又は前記総合環境評価値を、前記各分割領域を表示した地図とともに、その位置関係を対応付けて表示させるための出力表示手段を備えるものであってもよい。
【００１３】
本発明によれば、各環境評価値又は総合環境評価値浄化値を、視覚的に評価して判断することができることから、プロジェクト案の適否をさらに容易に判断することが可能となる。
【００１４】
【発明の実施の形態】
本発明の実施の一形態について、図面を参照して詳細に説明する。
【００１５】
＜環境評価装置の構成＞
図１に示すように、本発明の環境評価装置Ｋは、コンピュータから構成される装置本体１と、入力部２と、出力部３とを主要部として構成されている。
【００１６】
入力部２は、装置本体１における入力要求部２０から要求される各種操作に対する指示情報を入力する役割を果たし、キーボード２ａ、マウス２ｂ及び記録媒体読込手段２ｃ等を備えている。
また、出力部３は、各種演算結果やデータ等を出力させるための役割を果たし、ディスプレィ３ａ、プリンタ３ｂ及び記録媒体書込手段３ｃ等を備えている。
【００１７】
［装置本体］
装置本体１は、記憶部１０と、入力要求部２０と、基準データ作成部３０と、演算部４０と、出力表示部５０と、制御部６０とを備えている。
【００１８】
（１）記憶部
記憶部１０は、各種データ等を記憶する役割を果たすものであり、植生図データ記憶手段１１と、基準図データ記憶手段１２と、評価基準データ記憶手段１３と、演算結果記憶手段１４とを備えている。
【００１９】
前記植生図データ記憶手段１１は、広域地域（複数地域）の植生図データ９１（以下、「広域植生図データ」という、図２参照）を記憶している。この広域植生図データ９１は、植生種別と、当該植生種別に対応する領域の２次元位置座標（３次元位置座標でも可）が関連づけられている、数値計算可能な電子データである。
なお、前記植生種別は、例えば、単純人工林、混交人工林、落葉広葉樹、常緑広葉樹、市街地、草地、田畑、裸地、水面の９種類に分類されている（表１参照）（更に、細かい植生種別であっても良い）。
【００２０】
また、前記基準図データ記憶手段１２は、後記基準図データ９２を記憶させる手段である。
【００２１】
また、前記評価基準データ記憶手段１３は、植生種別及びプロジェクト案の造成物種別（以下、「植生等種別」という）ごとに定められている評価値算出式（種別評価算出式）（当該評価値算出式のパラメータも含む）が記憶されている手段である。
表１に示すように、本実施形態では、環境評価指標として、水関連指標である貯水量、土壌関連指標である土壌流出量、地域に生息する動物相の分布指標である鳥類の生息種数を用いている。
【００２２】
【表１】
2004102606.tif 000003
【００２３】
さらに、前記演算結果記憶手段１４は、後記する環境評価指標ごとに算出された個別環境評価値及び総合環境評価値（以下、「環境指標値等」という）を記憶させておくための手段である。
【００２４】
（２）入力要求部
入力要求部２０は、操作者に対して各種の入力作業を要求する役割を果たすものであり、評価領域入力要求手段２１と、プロジェクト案入力要求手段２２と、操作入力要求手段２３とを備えている。
【００２５】
前記評価領域入力要求手段２１は、植生図データ記憶手段１１に記憶されている広域植生図データ９１から、環境評価を行う詳細領域の決定を要求するための手段である。
なお、操作者は、前記評価領域入力要求手段２１の入力要求に応じて、入力部２から所定の面積を有する評価領域を入力することになる。
【００２６】
また、前記プロジェクト案入力要求手段２２は、環境評価を行うためのプロジェクト案データ９４の入力を要求する手段である。
なお、前記プロジェクト案データ９４は、対象とするプロジェクトで実施される造成物の種別（本実施形態では、人造林、建物、公園、池（表１参照））と、前記広域植生図データ９１の基準座標に対応するように定められている前記造成物位置の２次元座標（３次元位置座標でも可）とが関連づけられているデータである（図３参照）。このプロジェクト案データ９４は、電子データとして記録媒体に記憶されており、記録媒体読込手段２ｃを介して、入力が行われることになる。その際、一回の操作で、複数のプロジェクト案データ９４の入力を要求するものであってもよい。
【００２７】
さらに、前記操作入力要求手段２３は、操作者に、その他の各種操作を要求するための手段である。
【００２８】
（３）基準データ作成部
基準データ作成部３０は、広域植生図データ抽出手段３１と、評価領域抽出手段３２と、基準図データ作成手段３３と、分割領域設定手段３４と、を備えている。
【００２９】
前記広域植生図データ抽出手段３１は、植生図データ記憶手段１１に記憶されている広域植生図データ９１を抽出して、ディスプレイ３ａに表示させるための手段である。
【００３０】
また、前記評価領域抽出手段３２は、前記評価領域入力要求手段２１の入力要求に応じてマウス２ｂ等から入力された入力信号を受信して、広域植生図データ９１から、環境評価を行う評価領域を選択する手段である。なお、このようにして選択された領域は、評価領域の植生図データ９３（以下、「評価領域植生図データ」という）として、ディスプレイ３ａ上に表示されるようになっている。
【００３１】
また、前記基準図データ作成手段３３は、プロジェクト案入力要求手段２２の入力要求に応じて、記録媒体読込手段２ｃから読み込まれたプロジェクト案データ９４の有している造成物の２次元位置座標を認識して、評価領域植生図データ９３における対応する座標位置に重ね合わせることにより、評価領域植生図データ９３とプロジェクト案データ９４を統合することにより、評価に使用するための基準図データ９２を作成する手段である。
【００３２】
なお、装置本体１に、プロジェクト案移動要求手段（図示せず）を設け、その要求に応じて、入力されたプロジェクト案データ９４をディスプレイ３ａに表示させて、評価領域上の希望する位置に移動して重ね合わせ、その配置位置を決定した後に、基準図データ作成手段３３を作動させることができるように構成してもよい。
【００３３】
さらに、前記分割領域設定手段３４は、入力された前記基準図データ９２に対して、環境評価値を算出する単位となる分割領域９３ａを生成する手段であり、基準図データ９２を分割領域９３ａに区分して、その境界線（境界座標）を確定することができるようになっている。この分割領域９３ａは、所定の同一寸法である格子状（５０ｍ×５０ｍ〜５００ｍ×５００ｍの範囲内で適宜設定）に区分されている（図４参照）。
なお、前記分割領域９３ａは、所望のサイズに変更可能となっている。
【００３４】
（４）演算部
演算部４０は、各分割領域ごとに環境評価値を算出する役割を果たすものであり、種別面積算出手段４１と、評価値算出式抽出手段４２と、評価値算出手段４３（環境評価値算出手段）とから構成されている。
【００３５】
前記種別面積算出手段４１は、設定された前記各分割領域９３ａに含まれている植生等種別ごとの面積を算出するための手段であり、植生種別と、当該植生種別に対応する領域の２次元位置座標を認識して、対応する分割領域９３ａの境界線の内部に属する植生等種別のエリアの面積を集計することで、植生等種別ごとの面積を算出することができるようになっている。
【００３６】
また、前記評価値算出式抽出手段４２は、後記評価値算出手段４３で使用する各環境評価指標ごと及び各植生等種別ごとの環境評価値の算出式（以下、「種別評価値算出式」という）（パラメータを含む）を、評価基準データ記憶手段１３から抽出するための手段である。
なお、前記各環境評価指標ごとの環境評価値（以下、「個別環境評価値」という）は、植生等種別に応じて異なることがこれまでの研究からわかっていることから、前記種別評価値算出式は、予め各種調査により定められている経験式を用いる。
【００３７】
また、前記評価値算出手段４３は、各分割領域９３ａに対して、評価値算出式抽出手段４２により抽出された種別評価値算出式ごとに、個別環境評価値を算出するとともに、各個別環境評価値を統合した総合環境評価値を算出するための手段である。
【００３８】
前記のように、個別環境評価値を算出するための環境指標は、貯水量、土壌流出量、鳥類生息種数であり、各分割領域（ｉ）９３ａにおける植生等種別ｊにおける各個別環境評価値Ａｉｊ，Ｂｉｊ，Ｃｉｊは、それぞれ種別評価値算出式（１）〜（３）で算出される。
【００３９】
Ａｉｊ＝ａｊ　　　　　　　　　　　　　　　　　　　　　　　　　　　　　　　　　　　　　　　　　　　　　　　　　（１）
Ｂｉｊ＝ｂｊ　　　　　　　　　　　　　　　　　　　　　　　　　　　　　　　　　　　　　　　　　　　　　　　　　（２）
Ｃｉｊ＝ｃｊ
又は　Ｓｊ［１−｛Ｄｊ・Ｒｉｊ／（ｋｊ・Ｓｊ）＋１｝ｋｊ］　　　　　　（３）
Ａｉｊ：分割領域ｉにおける植生等種別ｊのエリアの貯水量
Ｂｉｊ：分割領域ｉにおける植生等種別ｊのエリアの土壌流出量
Ｃｉｊ：分割領域ｉにおける植生等種別ｊのエリアの鳥類生息種数
ａｊ：植生等種別がｊの場合における貯水量パラメータ
ｂｊ：植生等種別がｊの場合における土壌流出量パラメータ
ｃｊ：植生等種別がｊの場合における鳥類生息種数パラメータ
Ｓｊ：植生等種別がｊの場合における生息可能鳥種総数上限値
Ｄｊ：植生等種別がｊの場合における基準面積あたりの鳥類個体総数
Ｒｉｊ：分割領域ｉにおける植生等種別ｊのエリアの面積
ｋｊ：植生等種別がｊの場合における定数パラメータ
ｉ：分割領域番号
ｊ：植生等種別番号
【００４０】
ここで、各分割領域９３ａでは、複数の種別が混在している場合が一般的であることから個別環境評価値は、植生等種別の面積を重みとして、算出された植生等種別における各個別環境評価値を加重平均することにより、統合式（４）〜（６）により算出する。
【００４１】
Ａｉ＝ΣｊＲｉｊ・Ａｉｊ／ΣｊＲｉｊ　　　　　　　　　　　　　　　　（４）
Ｂｉ＝ΣｊＲｉｊ・Ｂｉｊ／ΣｊＲｉｊ　　　　　　　　　　　　　　　　（５）
Ｃｉ＝ΣｊＲｉｊ・Ｃｉｊ／ΣｊＲｉｊ　　　　　　　　　　　　　　　　（６）
Ａｉ：分割領域ｉにおける貯水量
Ｂｉ：分割領域ｉにおける土壌流出量
Ｃｉ：分割領域ｉにおける鳥類生息種数
【００４２】
さらに、分割領域ｉにおける総合環境評価値（Ｄｉ）は、貯水量（Ａｉ）、土壌流出量（Ｂｉ）、鳥類生息種数（Ｃｊ）を使用して、式（５）（以下、「総合環境評価値算出式」という）により算出する。ここで、ｗ１〜ｗ３は、地域特性に応じて予め設定されている各個別環境評価値の重みパラメータ（表２参照）である。
【００４３】
Ｄｉ＝（ｗ１・Ａｉ＋ｗ２・Ｂｉ＋ｗ３・Ｃｉ）／（ｗ１＋ｗ２＋ｗ３）　　　　（５）
【００４４】
【表２】
2004102606.tif 000004
【００４５】
（５）出力表示部
出力表示部５０（出力表示手段）は、算出された個別環境評価値及び総合環境評価値（以下、「個別環境評価値等」という）を出力結果としてディスプレイ３ａに表示させる役割を果たすものであり、出力原図作成手段５１と、カテゴリーデータ作成手段５２と、表示図作成手段５３とを備えている。
【００４６】
前記出力原図作成手段５１は、個別環境評価値等の算出結果を視覚的に表示させるために、各分割領域９３ａに対応するように基準図データ９２における評価領域の全域を分割して表示させる出力原図（各分割領域９３ａを表示した地図）を作成する手段である。
【００４７】
また、前記カテゴリーデータ作成手段５２は、各分割領域９３ａにおいて算出された個別環境評価値等が、予め定められた所定順位のカテゴリー（本実施形態では、値が最も高い場合にはランク１、最も低い場合にはランク５となる５段階）におけるどのカテゴリーに属するかを判別して、その属するカテゴリーの番号（カテゴリーデータ）を生成させるための手段である。
【００４８】
さらに、前記表示図作成手段５３は、出力原図上における各分割領域５３ａの位置関係に対応づけて、算出された各個別環境評価値等のカテゴリーデータを重ね合わせることにより算出結果９５として表示させる手段であり、各個別環境評価値及び総合評価値毎に算出結果９５を表示させることになる（図５参照）。
なお、算出結果の表示は、カテゴリーデータ毎に出力パターンを変化させることや、色分けすることにより行うことになる。
【００４９】
（６）その他
装置本体１は、各手段（入力部２及び出力部３も含む）を制御するための制御部６０を備えている。
また、必要により、各分割領域９３ａごとの個別環境評価値等の原データを出力させることも可能となっている。
【００５０】
＜環境評価装置の使用方法＞
本発明の環境評価装置Ｋの動作について、図６を参照して説明する。
【００５１】
環境評価装置Ｋを起動させると、広域植生図データ抽出手段３１により、植生図データ記憶手段１１に記憶されている広域植生図データ９１（図２）が、ディスプレイ３ａに表示される（Ｓ１）とともに、評価領域入力要求手段２１が作動して、操作者に対して、広域植生図データ９１における評価領域を入力するように要求する（Ｓ２）。
【００５２】
操作者が、前記評価領域入力要求手段２１の入力要求に応じて、ディスプレィ３ａに表示された広域植生図データ９１における任意の２つの指示点をマウス２ｂ等でクリックすることにより、矩形形状の評価領域を選択する作業を行うと、その入力信号を受信して、広域植生図データ９１から環境評価を行う評価領域が選択され、評価領域植生図データ９３が作成される（Ｓ３）。
【００５３】
続いて、プロジェクト案入力要求手段２２が、操作者に対して、環境評価を行うためのプロジェクト案データ９４（図３）の入力を要求する（Ｓ４）。
操作者が、前記プロジェクト案入力要求手段２２の入力要求に応じて、記録媒体読込手段２ｃからプロジェクト案データ９４を入力させると、基準図データ作成手段３３により、読み込まれた当該プロジェクト案データ９４と、評価領域植生図データ９３とが統合されることにより、基準図データ９２が作成される（Ｓ５）。そして、前記分割領域設定手段３４により、所定間隔で境界線を設けることで複数の分割領域９３ａ（図４）が生成される（Ｓ６）。
なお、作成された基準図データ９２は、基準図データ記憶手段１２に格納される。
【００５４】
そして、種別面積算出手段４１により、各分割領域９３ａに対して植生等種別ごとの面積が算出され、評価値算出式抽出手段４２及び評価値算出手段４３が協働することにより、評価基準データ記憶手段１３から抽出された各植生等種別ごとの種別評価値算出式、統合式及び総合環境評価値算出式を用いて、評価値算出手段４３により、個別環境評価値と総合環境評価値が算出される（Ｓ７）。
【００５５】
さらに、算出された各個別環境評価値等は、カテゴリーデータ作成手段５２により、各分割領域ごとにカテゴリーデータが生成されるとともに、出力原図作成手段５１により作成された出力原図上に、表示図作成手段５３により重ね合わせられられ、算出結果９５（図５）として表示される（Ｓ８）。
【００５６】
なお、算出された個別環境評価値等は、演算結果記憶手段１４に格納される。
【００５７】
このように、本発明によれば、広域植生図データ９１と、プロジェクト案データ９４を用いるだけで、個別環境評価指標等を迅速に算出することができるため、プロジェクト案の適否を容易に判断することが可能となる。
【００５８】
また、プロジェクトの概略計画を策定する際において、プロジェクト案データ９４を入力するだけで、同一のプロジェクト案を他の場所に実施する場合や、同一の領域内において造成物の配置を変更した場合を容易に比較することができることから、各代替案の地域環境に与える大まかな影響を簡易かつ迅速に求めることができる。
【００５９】
また、前記評価値算出手段４３により、前記複数の個別環境評価値を総合化した総合環境評価値を作成することができるため、プロジェクト案の適否をさらに容易に判断することが可能となる。
さらに、本発明によれば、出力表示部５０の作用により、各個別環境評価値等を視覚的に評価して判断することができることから、プロジェクト案の適否をさらに容易に判断することが可能となる。
【００６０】
以上、本発明について、好適な実施形態についての一例を説明したが、本発明は当該実施形態に限られず、本発明の趣旨を逸脱しない範囲で適宜設計変更が可能である。
【００６１】
なお、前記実施形態では、予め植生図データ記憶手段１１に記憶させておいた広域植生図データ９１と、記憶媒体読取手段２ｃから入力されたプロジェクト案データ９４を使用したが、入力手段としてイメージスキャナ等の図面読取手段と電子データ変換手段を用いることにより、前記広域植生図データとプロジェクト案データを作成して用いてもよく、或いは、プロジェクト案データは記憶部に記憶させていてもよい。
【００６２】
また、環境評価指標の数、種類等は、対象領域に応じて、適切に定めることができることは言うまでもなく、防災指標、法規制指標等を用いても良い。また、種別評価値算出式、統合式及び総合環境評価値算出式についても、対象領域の特性に応じて、種々の経験式を適用することができる。また、分割領域９３ａの寸法等についても制限はない。
【００６３】
また、使用する植生図データは任意の大きさのものを使用可能であり、また、環境評価を行う詳細領域及び分割領域についても、評価を行うプロジェクト案に応じて、所望の寸法範囲を設定することができる。
さらに、各分割領域９３ａごとに求められた各個別環境評価値等の値を、評価領域全体について統合したプロジェクト案評価指標を算出するためのプロジェクト案評価指標算出手段を備えると、プロジェクト案を評価する際に非常に好適である。
【００６４】
【発明の効果】
本発明の環境評価装置によれば、容易に入手可能なデータを用いて、簡易かつ迅速にプロジェクトが地域環境に与える影響を推定することが可能となる。
【図面の簡単な説明】
【図１】本発明の環境評価装置を示す構成図である。
【図２】広域地域の植生図データを示す図である。
【図３】基準図データを示す図である。
【図４】基準図データにおいて分割領域が定められた状態を示す図である。
【図５】出力結果を示す図である。
【図６】本発明の環境評価装置の動作を示すフロー図である。
【符号の説明】
Ｋ　　　環境評価装置
１　　　装置本体
１０　　記憶部
１１　　植生図データ記憶手段
２０　　入力要求部
２１　　評価領域入力要求手段
２２　　プロジェクト案入力要求手段
３０　　基準データ作成部
３２　　評価領域抽出手段
３３　　基準図データ作成手段
３４　　分割領域設定手段
４０　　演算部
４１　　種別面積算出手段
４２　　評価値算出式抽出手段
４３　　評価値算出手段（環境評価値算出手段）
５０　　出力表示部（出力表示手段）
５１　　出力原図作成手段
５２　　カテゴリーデータ作成手段
５３　　表示図作成手段
【図１】
2004102606.tif 000005
【図２】
2004102606.tif 000006
【図３】
2004102606.tif 000007
【図４】
2004102606.tif 000008
【図５】
2004102606.tif 000009
【図６】
2004102606.tif 000010